(57)【特許請求の範囲】
【請求項１】
板状の表示ユニットと、
前記表示ユニットの背面側に配置されると共に、前記表示ユニットの背面の法線方向を厚さ方向とする実装ユニットと、
前記実装ユニットの側面に沿って前記表示ユニットの背面側へ向けて立設し、前記表示ユニットに対し開口すると共に、前記実装ユニットよりも前記表示ユニット側に突出する立設部と、
前記表示ユニットの背面と対向すると共に、前記表示ユニットと前記立設部との間に介在された板材と、
を備え、
前記実装ユニットは、バッテリユニットであり、
前記板材は、前記バッテリユニットにおける前記表示ユニット側の面に沿って延在された放熱板であり、
前記放熱板には、一端が発熱体と熱的に接続されたヒートパイプが接続されている、
表示機器。
【請求項２】
前記ヒートパイプは、前記放熱板における前記バッテリユニット側の面に接続され、
前記バッテリユニットは、バッテリセルと、前記バッテリセルの側方に配置された制御基板とを有し、
前記制御基板の厚さは前記バッテリセルの厚さより薄く、前記バッテリユニットには前記制御基板の厚さ方向の上側に段差が形成され、
前記ヒートパイプは、前記段差に設けられている、
請求項１に記載の表示機器。
【請求項３】
前記ヒートパイプは、前記放熱板における前記バッテリユニット側の面に接続されている、
請求項１に記載の表示機器。
【請求項４】
前記立設部は、壁状に形成された立壁であり、
前記立壁には、切欠きが形成され、
前記ヒートパイプは、前記立壁の長さ方向に延びると共に、前記立壁の長さ方向に前記切欠きとオーバラップされている、
請求項１〜請求項３のいずれか一項に記載の表示機器。
【請求項５】
前記バッテリユニットは、前記表示ユニットの延在方向に沿って並ぶ複数のバッテリセルを有し、
前記ヒートパイプは、前記複数のバッテリセルの並ぶ方向に延び、
前記放熱板は、前記ヒートパイプの一端側から他端側に向かうに従って有効表面積が減少する、
請求項１〜請求項４のいずれか一項に記載の表示機器。
【請求項６】
前記バッテリユニットは、前記表示ユニットの延在方向に沿って並ぶ複数のバッテリセルを有し、
前記ヒートパイプの一端よりも他端側には、平面視にて前記複数のバッテリセルと重なるＵ字部が形成され、
前記Ｕ字部は、前記複数のバッテリセルが並ぶ方向に延びる一対の伝熱部と、前記一対の伝熱部を繋ぐ連結部とを有するＵ字形状とされている、
請求項１〜請求項４のいずれか一項に記載の表示機器。
【請求項７】
前記バッテリユニットは、前記表示ユニットの延在方向に沿って並ぶ複数のバッテリセルを有し、
前記ヒートパイプは、前記複数のバッテリセルの並ぶ方向に延び、
前記放熱板には、前記ヒートパイプの一端側から他端側に向かうに従って横幅が増加する熱拡散シートが貼り付けられている、
請求項１〜請求項４のいずれか一項に記載の表示機器。
【請求項８】
前記バッテリユニットは、前記表示ユニットの延在方向に沿って並ぶ複数のバッテリセルを有し、
前記ヒートパイプの他端側は、複数の分岐部に分岐され、
前記複数の分岐部は、前記複数のバッテリセルの間に配置されている、
請求項１〜請求項４のいずれか一項に記載の表示機器。
【発明の詳細な説明】
【技術分野】
【０００１】
本願の開示する技術は、表示機器に関する。
【背景技術】
【０００２】
従来、板状の表示ユニットと、表示ユニットの背面側に配置されたバッテリユニットとを備えた表示機器がある。
【先行技術文献】
【特許文献】
【０００３】
【特許文献１】特開２０１４−１３９５０１号公報
【特許文献２】特開２０１４−２１６６１０号公報
【発明の概要】
【発明が解決しようとする課題】
【０００４】
このような表示機器では、一般に、バッテリユニットの側方に部材や構造物等が配置される。このような部材や構造物等により表示ユニットの背面に局所的に荷重が入力した場合には、表示ユニットが損傷する虞がある。
【０００５】
本願の開示する技術は、一つの側面として、表示ユニットの損傷を抑制できる表示機器を提供することを目的とする。
【課題を解決するための手段】
【０００６】
上記目的を達成するために、本願の開示する技術の表示機器は、表示ユニットと、実装ユニットと、立設部と、板材とを備える。実装ユニットは、板状の表示ユニットの背面側に配置されており、表示ユニットの背面の法線方向を厚さ方向としている。立設部は、実装ユニットの側面に沿って表示ユニットの背面側へ向けて立設し、前記表示ユニットに対し開口すると共に、実装ユニットよりも表示ユニット側に突出する。板材は、表示ユニットの背面と対向すると共に、表示ユニットと立設部との間に介在されている。実装ユニットは、バッテリユニットであり、板材は、バッテリユニットにおける表示ユニット側の面に沿って延在された放熱板である。放熱板には、一端が発熱体と熱的に接続されたヒートパイプが接続されている。
【発明の効果】
【０００７】
本願の開示する技術によれば、表示ユニットの損傷を抑制できる。
【図面の簡単な説明】
【０００８】
【図１】本実施形態の表示機器の斜視図である。
【図２】表示機器の分解斜視図である。
【図３】表示機器の内部構成を示す平面図である。
【図４】表示機器の内部構成を示す斜視図である。
【図５】表示機器に設けられた放熱板の斜視図である。
【図６】表示機器を図４のＦ６−Ｆ６線で切断した断面図である。
【図７】表示機器を図４のＦ７−Ｆ６線で切断した断面図である。
【図８】表示機器を図４のＦ８−Ｆ６線で切断した断面図である。
【図９】表示機器を図４のＦ９−Ｆ６線で切断した断面図である。
【図１０】本実施形態の第一変形例を示す図である。
【図１１】本実施形態の第二変形例を示す図である。
【図１２】本実施形態の第三変形例を示す図である。
【図１３】本実施形態の第四変形例を示す図である。
【図１４】本実施形態の第五変形例を示す図である。
【図１５】本実施形態の第六変形例を示す図である。
【図１６】本実施形態の第七変形例を示す図である。
【図１７】本実施形態の第八変形例を示す図である。
【図１８】本実施形態の第九変形例を示す図である。
【図１９】本実施形態の第十変形例を示す図である。
【図２０】参考例の表示機器を示す図である。
【発明を実施するための形態】
【０００９】
以下、本願の開示する技術の一実施形態を説明する。
【００１０】
図１に示されるように、本実施形態の表示機器１０は、一例として、タブレット端末として構成されている。図２に示されるように、この表示機器１０は、タッチパネル２０、表示ユニット３０、アッパーカバー４０、ミドルカバー５０、ロアカバー６０、基板７０、バッテリユニット８０、放熱板９０、及び、ヒートパイプ１００を備える。
【００１１】
タッチパネル２０及び表示ユニット３０は、いずれも平面視にて四角形の板状に形成されている。表示ユニット３０には、例えば液晶表示器等が用いられ、表示ユニット３０の表面は、タッチパネル２０によって覆われる。
【００１２】
アッパーカバー４０、ミドルカバー５０、及び、ロアカバー６０は、表示機器１０の筐体１１０を形成している。この筐体１１０は、平面視にて四角形の平盤状に形成されている（図１も参照）。
【００１３】
アッパーカバー４０は、表示ユニット３０を囲う枠部４１と、この枠部４１の内側に形成された支持部４２とを有する。支持部４２は、表示ユニット３０の背面側から表示ユニット３０を支持する。支持部４２には、アッパーカバー４０の厚さ方向に貫通する開口４３が形成されており、この開口４３には、後述する放熱板９０等が収容される。
【００１４】
ミドルカバー５０は、アッパーカバー４０の背面側に配置され、ロアカバー６０は、ミドルカバー５０の背面側に配置される。ミドルカバー５０におけるアッパーカバー４０側の面には、基板７０が搭載されている。また、ミドルカバー５０には、後述するバッテリユニット８０と同様の形状の収容部５１が形成されている。この収容部５１は、ミドルカバー５０の厚さ方向に開口されており、この収容部５１には、バッテリユニット８０が収容される。
【００１５】
バッテリユニット８０は、「実装ユニット」の一例であり、表示ユニット３０の背面側に配置されている。このバッテリユニット８０は、平面視にて概略四角形の板状に形成されており、表示ユニット３０の背面３１の法線方向を厚さ方向として配置されている。このバッテリユニット８０は、ミドルカバー５０及びロアカバー６０に固定される。
【００１６】
このバッテリユニット８０は、複数の側面８１（四つの側面８１）を有する。この複数の側面８１は、表示ユニット３０の背面３１の法線方向を高さ方向としており、背面３１の法線方向に延びる（図９も参照）。なお、各側面８１は、表示ユニット３０の背面３１に対して垂直でも良いし、傾斜していても良い。バッテリユニット８０には、複数のバッテリセル８４Ａ，８４Ｂ，８４Ｃが内蔵されており、この複数の複数のバッテリセル８４Ａ，８４Ｂ，８４Ｃは、表示ユニット３０の延在方向に沿って並んでいる。
【００１７】
また、このバッテリユニット８０を収容する収容部５１の周縁部には、「立設部」の一例である立壁５２が形成されている。この立壁５２は、表示ユニット３０の背面３１側へ向けて立設されており、壁状に形成されている。図３，図４に示されるように、立壁５２は、収容部５１に収容されたバッテリユニット８０の四つの側面８１に沿って延びおり、バッテリユニット８０の側方に配置されている。収容部５１にバッテリユニット８０が収容された状態において、バッテリユニット８０は、立壁５２に囲われる。
【００１８】
この立壁５２は、バッテリユニット８０の周方向（四つの側面８１が連続する方向）に沿って環状に形成されても良いが、本実施形態では、立壁５２の周方向の一部に切欠き５３（図３参照）が形成されている。この切欠き５３は、表示ユニット３０側に開口されている。この切欠き５３には、バッテリユニット８０から導出されたケーブル８８等が収容され、バッテリユニット８０は、ケーブル８８等を介して基板７０と接続される。
【００１９】
放熱板９０は、「板材」の一例であり、上述の立壁５２の外形形状と略同様の大きさ及び形状で形成されている。図５に示されるように、この放熱板９０の外周部には、複数の固定部９６が形成されている。放熱板９０は、図３，図４に示されるように、複数の固定部９６においてミドルカバー５０にネジ止めされている。
【００２０】
図６〜図９には、図４の「Ｆ６−Ｆ６」〜「Ｆ９−Ｆ９」の各線で切断した断面図が示されている。この図６〜図９に示されるように、放熱板９０は、ミドルカバー５０に固定された状態において、表示ユニット３０とバッテリユニット８０との間に配置されている。
【００２１】
この放熱板９０は、上述のアッパーカバー４０に形成された開口４３（図２，図８，図９参照）を通じて、表示ユニット３０の背面３１と対向（対面）している。放熱板９０は、好ましくは、表示ユニット３０の背面３１と離間される。また、この放熱板９０は、バッテリユニット８０の天面８２（表示ユニット３０側の面）に沿って延在されている。
【００２２】
図９に示されるように、上述の立壁５２の上部は、バッテリユニット８０よりも表示ユニット３０側に突出されている。バッテリユニット８０は、ロアカバー６０に載置されており、立壁５２のロアカバー６０からの高さＨ１は、バッテリユニット８０の天面８２のロアカバー６０からの高さＨ２よりも高くなっている。高さＨ１と高さＨ２との差は、表示機器１０の使用時におけるバッテリユニット８０の厚さ方向への膨張量よりも大きな寸法に設定される。
【００２３】
また、この立壁５２の表示ユニット３０への突き当てを抑制するために、表示ユニット３０の背面３１と立壁５２の上部との間には、上述の放熱板９０が介在されている。立壁５２の上部と放熱板９０とは、好ましくは、離間されるが、当接されていても良い。
【００２４】
図３〜図５に示されるように、放熱板９０は、より具体的には、複数のバッテリセル８４Ａ，８４Ｂ，８４Ｃが並ぶ方向に延びる一対の第一縁部９１，９２と、一対の第一縁部９１，９２を繋ぐ一対の第二縁部９３，９４とを有する平面視にて四角形状とされている。この放熱板９０の下面（バッテリユニット８０側の面）には、複数のバッテリセル８４Ａ，８４Ｂ，８４Ｃの並ぶ方向に延びるヒートパイプ１００が接続されている。
【００２５】
ヒートパイプ１００は、一対の第一縁部９１，９２のうち一方の第一縁部９１側に配置されており、この一方の第一縁部９１に沿って延びている。ヒートパイプ１００の一端１０１は、一方の第二縁部９３から突出されている。基板７０には、例えばＣＰＵ（Central Processing Unit）等の発熱体７１が実装されており、ヒートパイプ１００の一端１０１は、ヒートスプレッダ７２を介して発熱体７１と熱的に接続されている（図６も参照）。
【００２６】
また、ヒートパイプ１００は、立壁５２のうち切欠き５３が形成された壁部５２Ａ（図３に示される一方の第一縁部９１に沿って延びる壁部５２Ａ）の長さ方向に延びている。そして、このヒートパイプ１００は、立壁５２のうち壁部５２Ａの長さ方向（矢印Ｌ方向）に切欠き５３とオーバラップされている。
【００２７】
また、このヒートパイプ１００が接続された放熱板９０には、他方の第一縁部９２に沿って複数の開口９５Ａ〜９５Ｆが並んで形成されている。この複数の開口９５Ａ〜９５Ｆは、放熱板９０の厚さ方向に貫通されている。この複数の開口９５Ａ〜９５Ｆは、一方の第二縁部９３から他方の第二縁部９４に向かうに従って徐々に開口面積が増加するように形成されている。
【００２８】
本実施形態では、一方の第二縁部９３から他方の第二縁部９４に向かうに従って複数の開口９５Ａ〜９５Ｆの開口面積が増加することで、ヒートパイプ１００の一端側から他端側に向かうに従って放熱板９０の有効表面積が減少されている。この有効表面積は、放熱板９０を平面視した場合の放熱領域（複数の開口９５Ａ〜９５Ｆを除く領域）の面積に相当する。
【００２９】
また、図７，図８に示されるように、上述のバッテリユニット８０は、より具体的には、複数のバッテリセル８４Ａ，８４Ｂ，８４Ｃの他に、制御基板８５及びバッテリケース８６を有する。複数のバッテリセル８４Ａ，８４Ｂ，８４Ｃ及び制御基板８５は、バッテリケース８６に収容されている。
【００３０】
このバッテリユニット８０には、制御基板８５の厚さがバッテリセル８４Ａ，８４Ｂ，８４Ｃの厚さよりも小とされることにより、制御基板８５の厚さ方向の上側に段差８７が形成されている。そして、この段差８７には、上述のヒートパイプ１００が設けられている。また、図８に示されるように、立壁５２には、この立壁５２の上側に開口する凹部５４が形成されており、この凹部５４には、上述のヒートパイプ１００が挿入されている。ヒートパイプ１００と凹部５４の底面とは、好ましくは、離間されるが、当接されていても良い。
【００３１】
次に、本実施形態の作用及び効果について説明する。
【００３２】
以上詳述したように、本実施形態の表示機器１０によれば、バッテリユニット８０を収容する収容部５１の周縁部には、表示ユニット３０を囲う立壁５２が形成されている。また、図９に示されるように、この立壁５２の上部は、バッテリユニット８０よりも表示ユニット３０側に突出されている。したがって、この立壁５２により、バッテリユニット８０と表示ユニット３０との間に隙間が確保されるので、バッテリユニット８０が厚さ方向に膨張しても、表示ユニット３０の背面３１がバッテリユニット８０によって押圧されることを抑制できる。
【００３３】
また、表示ユニット３０と立壁５２との間には、表示ユニット３０の背面３１と対向（対面）する放熱板９０が介在されている。したがって、立壁５２が放熱板９０に直接突き当たることを抑制できると共に、立壁５２からの入力を放熱板９０で分散させて表示ユニット３０の背面３１に面荷重として伝達できる。これにより、立壁５２から表示ユニット３０の背面３１に局所的に荷重が入力されることを抑制できるので、表示ユニット３０の損傷を抑制できる。
【００３４】
また、放熱板９０は、ヒートパイプ１００を介して伝達された発熱体７１の熱を放出するための放熱機能と、立壁５２が表示ユニット３０に干渉することを抑制する干渉抑制機能とを併せ持つので、部品点数の増加を抑制できると共に、構造を簡素化できる。
【００３５】
また、図７，図８に示されるように、バッテリユニット８０では、制御基板８５の厚さがバッテリセル８４Ａ，８４Ｂ，８４Ｃの厚さよりも小とされることにより、制御基板８５の厚さ方向の上側に段差８７が形成されている。そして、ヒートパイプ１００は、この段差８７に設けられている。したがって、ヒートパイプ１００が表示ユニット３０側に張り出すことを抑制することができるので、表示ユニット３０とバッテリセル８４Ａ，８４Ｂ，８４Ｃとをより近づけて配置することができる。これにより、表示機器１０を薄型化することができる。
【００３６】
また、発熱体７１と放熱板９０とを接続するヒートパイプ１００は、放熱板９０の下面（バッテリユニット８０側の面）に接続されている、したがって、ヒートパイプ１００と表示ユニット３０との干渉を抑制することができるので、ヒートパイプ１００から表示ユニット３０の背面３１に荷重が入力されることを抑制できる。
【００３７】
また、立壁５２は、バッテリユニット８０を囲うように形成されており、この立壁５２が補強リブの役割を果たすので、ミドルカバー５０の剛性を向上させることができる。
【００３８】
また、図３に示されるように、ヒートパイプ１００は、立壁５２のうち切欠き５３が形成された壁部５２Ａ（一方の第一縁部９１に沿って延びる壁部５２Ａ）の長さ方向に延びている。そして、このヒートパイプ１００は、立壁５２のうち壁部５２Ａの長さ方向（矢印Ｌ方向）に切欠き５３とオーバラップされている。したがって、切欠き５３が形成された分の立壁５２の剛性低下分をヒートパイプ１００で補うことができるので、立壁５２が形成されたミドルカバー５０の剛性を確保することができる。
【００３９】
また、放熱板９０は、複数の開口９５Ａ〜９５Ｆが形成されることにより、ヒートパイプ１００の一端側から他端側（発熱体７１から遠ざかる側）に向かうに従って有効表面積が減少する構成とされている。したがって、放熱板９０では、発熱体７１から遠い側での放熱量が抑制されるので、複数のバッテリセル８４Ａ，８４Ｂ，８４Ｃに熱を均等に伝えることができる。この結果、特定のバッテリセル（特に発熱体７１に近いバッテリセル８４Ａ）が高い温度になって寿命が短くなることを抑制できると共に、発熱体７１から遠い側のバッテリセル８４Ｃを含むより広い面積で放熱できるので、放熱効率を向上させることができる。
【００４０】
また、放熱板９０に形成された複数の開口９５Ａ〜９５Ｆは、放熱板９０の一対の第二縁部９３，９４の一方から他方に向かうに従って開口面積が増加するように形成されている。したがって、放熱板９０の軽量化を図りつつ、簡単な構成で、複数のバッテリセル８４Ａ，８４Ｂ，８４Ｃに熱を均等に伝えることが可能になる。
【００４１】
次に、本実施形態の変形例について説明する。
【００４２】
＜第一変形例＞
図１０に示される第一変形例では、ヒートパイプ１００の一端１０１よりも他端１０２側に、平面視にて複数のバッテリセル８４Ａ，８４Ｂ，８４Ｃと重なるＵ字部１０３が形成されている。このＵ字部１０３は、複数のバッテリセル８４Ａ，８４Ｂ，８４Ｃが並ぶ方向に延びる一対の伝熱部１０３Ａ，１０３Ｂと、一対の伝熱部１０３Ａ，１０３Ｂを繋ぐ連結部１０３Ｃとを有するＵ字形状とされている。
【００４３】
このヒートパイプ１００では、一端側から他端側に向かうに従って複数のバッテリセル８４Ａ，８４Ｂ，８４Ｃへの伝熱量が順に減少される。したがって、ヒートパイプ１００から複数のバッテリセル８４Ａ，８４Ｂ，８４Ｃに熱を均等に伝えることができる。
【００４４】
つまり、発熱体７１に近い側のバッテリセル８４Ａでは、一方の伝熱部１０３Ａからの伝熱量は最も多くなるが、他方の伝熱部１０３Ｂからの伝熱量は最も少なくなる。また、真ん中のバッテリセル８４Ｂでは、一方の伝熱部１０３Ａからの伝熱量はやや多くなるが、他方の伝熱部１０３Ｂからの伝熱量はやや少なくなる。また、発熱体７１から遠い側のバッテリセル８４Ｃでは、一方の伝熱部１０３Ａからの伝熱量は最も少なくなるが、他方の伝熱部１０３Ｂからの伝熱量は最も多くなる。
【００４５】
このように、ヒートパイプ１００の一端１０１よりも他端側にＵ字部１０３が形成されることによっても、ヒートパイプ１００から複数のバッテリセル８４Ａ，８４Ｂ，８４Ｃに熱を均等に伝えることが可能となる。
【００４６】
＜第二変形例＞
図１１に示される第二変形例では、上記実施形態と同様に、ヒートパイプ１００は、複数のバッテリセル８４Ａ，８４Ｂ，８４Ｃの並ぶ方向に延びる。一方、放熱板９０には、ヒートパイプ１００の一端１０１側から他端１０２側に向かうに従って横幅が増加する熱拡散シート１２１が貼り付けられている。このような熱拡散シート１２１には、例えば、グラファイトシートが使用される。
【００４７】
このような熱拡散シート１２１が放熱板９０に貼り付けられることによっても、ヒートパイプ１００から複数のバッテリセル８４Ａ，８４Ｂ，８４Ｃに熱を均等に伝えることが可能となる。
【００４８】
＜第三変形例＞
図１２に示される第二変形例では、ヒートパイプ１００の他端側は、複数の分岐部１０４Ａ，１０４Ｂに分岐されており、複数の分岐部１０４Ａ，１０４Ｂは、複数のバッテリセル８４Ａ，８４Ｂ，８４Ｃの間に配置されている。
【００４９】
このように、複数の分岐部１０４Ａ，１０４Ｂが複数のバッテリセル８４Ａ，８４Ｂ，８４Ｃの間に配置されることによっても、ヒートパイプ１００から複数のバッテリセル８４Ａ，８４Ｂ，８４Ｃに熱を均等に伝えることが可能となる。
【００５０】
＜第四変形例＞
なお、上述の第一変形例（図１０参照）において、ヒートパイプ１００の一端１０１は、放熱板９０に形成された一方の第二縁部９３から突出されている。しかしながら、図１３に示される第四変形例のように、ヒートパイプ１００の一端１０１は、放熱板９０に形成された一方の第一縁部９１における第二縁部９３側から突出されても良い。
【００５１】
＜第五変形例＞
図１４に示される第五変形例では、上述の第四変形例（図１３参照）に対し、熱拡散シート１２２が追加されている。このような熱拡散シート１２２には、例えば、グラファイトシートが使用される。熱拡散シート１２２は、放熱板９０の上面（表示ユニット側の面）に貼り付けられ、放熱板９０を覆っている。また、この熱拡散シート１２２は、放熱板９０と同様の平面形状とされ、平面視にてヒートパイプ１００及び複数のバッテリセル８４Ａ，８４Ｂ，８４Ｃと重なるように配置されている。
【００５２】
このように、放熱板９０に熱拡散シート１２２が貼り付けられていると、この熱拡散シート１２２の分、ヒートパイプ１００から複数のバッテリセル８４Ａ，８４Ｂ，８４Ｃに熱をより一層均等に伝えることが可能となる。
【００５３】
＜第六変形例＞
図１５に示される第六変形例では、Ｙ字状に形成された一対のヒートパイプ１００が用いられている。一方のヒートパイプ１００には、一方の第一縁部９１から他方の第一縁部９２に向かうに従って一方の第二縁部９３に向かう傾斜部１０５が形成されている。同様に、他方のヒートパイプ１００には、一方の第一縁部９１から他方の第一縁部９２に向かうに従って他方の第二縁部９４に向かう傾斜部１０５が形成されている。
【００５４】
一方のヒートパイプ１００の傾斜部１０５は、中央のバッテリセル８４Ｂ（第一バッテリセル）と、その一方側に配置されたバッテリセル８４Ａ（一対の第二バッテリセルの一方）とに跨って配置されている。また、他方のヒートパイプ１００の傾斜部１０５は、中央のバッテリセル８４Ｂ（第一バッテリセル）と、その他方側に配置されたバッテリセル８４Ｃ（一対の第二バッテリセルの他方）とに跨って配置されている。
【００５５】
このように、Ｙ字状に形成された一対のヒートパイプ１００が用いられることによっても、ヒートパイプ１００から複数のバッテリセル８４Ａ，８４Ｂ，８４Ｃに熱を均等に伝えることが可能となる。
【００５６】
＜第七変形例＞
図１６に示される第七変形例では、上述の第六変形例（図１５参照）に対し、一対の熱拡散シート１２３が追加されている。このような熱拡散シート１２３には、例えば、グラファイトシートが使用される。この一対の熱拡散シート１２３は、放熱板９０の上面（表示ユニット３０側の面）に貼り付けられ、放熱板９０を覆っている。
【００５７】
また、一方の熱拡散シート１２３は、平面視にて一方のヒートパイプ１００の傾斜部１０５と、中央のバッテリセル８４Ｂと、その一方側に配置されたバッテリセル８４Ａと重なるように配置されている。また、他方の熱拡散シート１２３は、平面視にて他方のヒートパイプ１００の傾斜部１０５と、中央のバッテリセル８４Ａと、その他方側に配置されたバッテリセル８４Ｃと重なるように配置されている。
【００５８】
このように、放熱板９０に一対の熱拡散シート１２３が貼り付けられていると、この一対の熱拡散シート１２３の分、ヒートパイプ１００から複数のバッテリセル８４Ａ，８４Ｂ，８４Ｃに熱をより一層均等に伝えることが可能となる。
【００５９】
＜第八変形例＞
図１７に示される第八変形例では、ヒートパイプ１００が、複数のバッテリセル８４Ａ，８４Ｂ，８４Ｃの並ぶ方向に延びると共に、平面視にて複数のバッテリセル８４Ａ，８４Ｂ，８４Ｃの中央部を通っている。
【００６０】
このように構成されていても、ヒートパイプ１００から複数のバッテリセル８４Ａ，８４Ｂ，８４Ｃに熱を均等に伝えることが可能となる。
【００６１】
＜第九変形例＞
図１８に示される第九変形例では、上述の第八変形例（図１７参照）に対し、熱拡散シート１２４が追加されている。このような熱拡散シート１２４には、例えば、グラファイトシートが使用される。熱拡散シート１２４は、放熱板９０の上面（表示ユニット側の面）に貼り付けられ、放熱板９０を覆っている。
【００６２】
また、この熱拡散シート１２４は、放熱板９０と同様の平面形状とされ、平面視にてヒートパイプ１００及び複数のバッテリセル８４Ａ，８４Ｂ，８４Ｃと重なるように配置されている。さらに、この熱拡散シート１２４は、ヒートパイプ１００の長手方向に沿って延びると共に、ヒートパイプ１００の一端１０１側から他端１０２側に向かうに従って横幅が拡がるように三角形状又は台形状に形成される。
【００６３】
このように、放熱板９０に熱拡散シート１２４が貼り付けられていると、この熱拡散シート１２４の分、ヒートパイプ１００から複数のバッテリセル８４Ａ，８４Ｂ，８４Ｃに熱をより一層均等に伝えることが可能となる。
【００６４】
＜第十変形例＞
図１９に示される第十変形例では、上述のヒートパイプ１００（図１０〜図１８参照）の代わりに、熱拡散シート１２５が用いられている。このような熱拡散シート１２５には、例えば、グラファイトシートが使用される。熱拡散シート１２５は、放熱板９０の上面（表示ユニット３０側の面）に貼り付けられ、放熱板９０を覆っている。
【００６５】
また、この熱拡散シート１２５は、一対の傾斜部１２６を有する概略Ｖ字状に形成され、平面視にてヒートパイプ１００及び複数のバッテリセル８４Ａ，８４Ｂ，８４Ｃと重なるように配置されている。一方の傾斜部１２６は、一方の第一縁部９１から他方の第一縁部９２に向かうに従って一方の第二縁部９３に向かうように傾斜されている。同様に、他方の傾斜部１２６は、一方の第一縁部９１から他方の第一縁部９２に向かうに従って他方の第二縁部９４に向かうように傾斜されている。この熱拡散シート１２５の一端１２５Ａは、発熱体７１と熱的に接続されている。
【００６６】
このように、ヒートパイプの代わりに熱拡散シート１２５が用いられていても、発熱体７１から複数のバッテリセル８４Ａ，８４Ｂ，８４Ｃに熱を均等に伝えることが可能となる。
【００６７】
＜その他の変形例＞
上記実施形態において、表示機器１０は、一例として、タブレット端末とされているが、ノート型パーソナルコンピュータ、スマートフォン、携帯電話等のその他の機器とされていても良い。
【００６８】
また、上記実施形態では、「実装ユニット」の一例として、バッテリユニット８０が用いられているが、ＨＤＤ（Hard disk drive）ユニットや、ＯＤＤ（Optical disk drive）ユニットが用いられても良い。
【００６９】
また、上記実施形態において、立壁５２は、好ましくは、バッテリユニット８０を囲う形状とされるが、バッテリユニット８０を囲う形状とされていなくても良い。また、立壁５２は、バッテリユニット８０の周方向に間隔を空けて複数設けられていても良い。また、立壁５２は、ミドルカバー５０に形成されているが、ミドルカバー５０以外の部材に形成されても良い。
【００７０】
また、上記実施形態では、「立設部」の一例として、壁状の立壁５２が設けられているが、壁状以外の形状の立設部が設けられても良い。
【００７１】
なお、上記複数の変形例のうち組み合わせ可能な変形例は、適宜、組み合わされても良い。
【００７２】
次に、参考例について説明する。
【００７３】
図２０に示される参考例に係る表示機器２１０では、上記実施形態に対し、次のように構造が変更されている。つまり、この参考例では、上述のヒートパイプ１００の代わりに、第一熱拡散シート１３１及び第二熱拡散シート１３２が用いられている。この第一熱拡散シート１３１及び第二熱拡散シート１３２には、例えば、グラファイトシートが使用される。
【００７４】
第一熱拡散シート１３１は、バッテリユニット８０の天面８２に貼り付けられると共に、発熱体７１と熱的に接続されている。第二熱拡散シート１３２は、バッテリユニット８０の底面８３に貼り付けられると共に、発熱体７１と熱的に接続されている。また、第一熱拡散シート１３１及び第二熱拡散シート１３２は、平面視にて複数のバッテリセル８４Ａ，８４Ｂと重なるように配置されている。
【００７５】
このように、ヒートパイプの代わりに第一熱拡散シート１３１及び第二熱拡散シート１３２が用いられていても、発熱体７１から複数のバッテリセル８４Ａ，８４Ｂに熱を均等に伝えることが可能となる。
【００７６】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００７７】
なお、上述の本願の開示する技術の一実施形態に関し、更に以下の付記を開示する。
【００７８】
（付記１）
板状の表示ユニットと、
前記表示ユニットの背面側に配置されると共に、前記表示ユニットの背面の法線方向を厚さ方向とする実装ユニットと、
前記実装ユニットの側面に沿って前記表示ユニットの背面側へ向けて立設されると共に、前記実装ユニットよりも前記表示ユニット側に突出する立設部と、
前記表示ユニットの背面と対向すると共に、前記表示ユニットと前記立設部との間に介在された板材と、
を備える表示機器。
（付記２）
前記実装ユニットは、バッテリユニットであり、
前記板材は、前記バッテリユニットにおける前記表示ユニット側の面に沿って延在された放熱板であり、
前記放熱板には、一端が発熱体と熱的に接続されたヒートパイプが接続されている、
付記１に記載の表示機器。
（付記３）
前記ヒートパイプは、前記放熱板における前記バッテリユニット側の面に接続されている、
付記２に記載の表示機器。
（付記４）
前記立設部は、壁状に形成された立壁であり、
前記立壁には、切欠きが形成され、
前記ヒートパイプは、前記立壁の長さ方向に延びると共に、前記立壁の長さ方向に前記切欠きとオーバラップされている、
付記２又は付記３に記載の表示機器。
（付記５）
前記立壁は、前記バッテリユニットを囲う、
付記２〜付記４のいずれか一項に記載の表示機器。
（付記６）
前記バッテリユニットは、前記表示ユニットの延在方向に沿って並ぶ複数のバッテリセルを有する、
付記２〜付記５のいずれか一項に記載の表示機器。
（付記７）
前記ヒートパイプは、前記複数のバッテリセルの並ぶ方向に延び、
前記放熱板は、前記ヒートパイプの一端側から他端側に向かうに従って有効表面積が減少する、
付記６に記載の表示機器。
（付記８）
前記放熱板は、前記複数のバッテリセルが並ぶ方向に延びる一対の第一縁部と、前記一対の第一縁部を繋ぐ一対の第二縁部とを有する平面視にて四角形状とされ、
前記ヒートパイプは、前記一対の第一縁部の一方に沿って延び、
前記ヒートパイプの一端は、前記一対の第二縁部の一方から突出されて前記発熱体と熱的に接続され、
前記放熱板には、前記一対の第一縁部の他方に沿って複数の開口が並んで形成され、
前記複数の開口は、前記一対の第二縁部の一方から他方に向かうに従って開口面積が増加する、
付記７に記載の表示機器。
（付記９）
前記ヒートパイプの一端よりも他端側には、平面視にて前記複数のバッテリセルと重なるＵ字部が形成され、
前記Ｕ字部は、前記複数のバッテリセルが並ぶ方向に延びる一対の伝熱部と、前記一対の伝熱部を繋ぐ連結部とを有するＵ字形状とされている、
付記６に記載の表示機器。
（付記１０）
前記ヒートパイプは、前記複数のバッテリセルの並ぶ方向に延び、
前記放熱板には、前記ヒートパイプの一端側から他端側に向かうに従って横幅が増加する熱拡散シートが貼り付けられている、
付記６に記載の表示機器。
（付記１１）
前記ヒートパイプの他端側は、複数の分岐部に分岐され、
前記複数の分岐部は、前記複数のバッテリセルの間に配置されている、
付記６に記載の表示機器。
（付記１２）
前記ヒートパイプを一対備え、
前記複数のバッテリセルは、前記複数のバッテリセルの中央に配置された第一バッテリセルと、前記第一バッテリセルの両側に配置された一対の第二バッテリセルとを含み、
一対の前記ヒートパイプの一方は、前記第一バッテリセルと前記一対の第二バッテリセルの一方とに跨って配置され、
一対の前記ヒートパイプの他方は、前記第一バッテリセルと前記一対の第二バッテリセルの他方とに跨って配置されている、
付記６に記載の表示機器。
（付記１３）
前記ヒートパイプは、前記複数のバッテリセルの並ぶ方向に延びると共に、平面視にて前記複数のバッテリセルの中央部を通っている、
付記６に記載の表示機器。
（付記１４）
前記ヒートパイプは、前記放熱板における前記バッテリユニット側の面に接続され、
前記放熱板における前記表示ユニット側の面には、前記放熱板の平面視にて前記ヒートパイプ及び前記複数のバッテリセルと重なる熱拡散シートが貼り付けられている、
付記９〜付記１３のいずれか一項に記載の表示機器。
（付記１５）
前記熱拡散シートは、前記ヒートパイプの長手方向に沿って延びると共に、前記ヒートパイプの一端側から他端側に向かうに従って横幅が拡がる、
付記１４に記載の表示機器。
（付記１６）
前記実装ユニットは、前記表示ユニットの延在方向に沿って並ぶ複数のバッテリセルを有するバッテリユニットであり、
前記板材は、前記実装ユニットにおける前記表示ユニット側の面に沿って延在された放熱板であり、
前記放熱板には、前記放熱板の平面視にて前記複数のバッテリセルと重なる熱拡散シートが貼り付けられ、
前記熱拡散シートの一端は、発熱体と熱的に接続されている、
付記１に記載の表示機器。
（付記１７）
板状の表示ユニットと、
前記表示ユニットの背面側に配置された実装ユニットと、
前記実装ユニットにおける前記表示ユニット側の面に貼り付けられると共に、発熱体と熱的に接続された第一熱拡散シートと、
前記実装ユニットにおける前記表示ユニットと反対側の面に貼り付けられると共に、前記発熱体と熱的に接続された第二熱拡散シートと、
を備える表示機器。
（付記１８）
前記バッテリユニットは、バッテリセルと、前記バッテリセルの側方に配置された制御基板とを有し、
前記制御基板の厚さが前記バッテリセルの厚さよりも小とされることにより、前記バッテリユニットには、前記制御基板の厚さ方向の上側に段差が形成され、
前記ヒートパイプは、前記段差に設けられている、
付記２に記載の表示機器。
（付記１９）
前記表示ユニットの背面を支持する支持部をさらに備え、
前記支持部には、前記放熱板が収容される開口が形成されている、
付記２又は付記１８に記載の表示機器。
【符号の説明】
【００７９】
１０  表示機器
３０  表示ユニット
３１  背面
５１  収容部
５２  立壁（立設部の一例）
５３  切欠き
７１  発熱体
８０  バッテリユニット（実装ユニットの一例）
８１  側面
８２  天面（実装ユニットにおける表示ユニット側の面の一例）
８３  底面
８４Ａ，８４Ｂ，８４Ｃ  複数のバッテリセル
８５  制御基板
９０  放熱板（板材の一例）
１００  ヒートパイプ
１０３  Ｕ字部
１０３Ａ，１０３Ｂ  伝熱部
１０３Ｃ  連結部
１０４Ａ，１０４Ｂ  複数の分岐部
１２１  熱拡散シート
【図１】
0006578471.tif 000002
【図２】
0006578471.tif 000003
【図３】
0006578471.tif 000004
【図４】
0006578471.tif 000005
【図５】
0006578471.tif 000006
【図６】
0006578471.tif 000007
【図７】
0006578471.tif 000008
【図８】
0006578471.tif 000009
【図９】
0006578471.tif 000010
【図１０】
0006578471.tif 000011
【図１１】
0006578471.tif 000012
【図１２】
0006578471.tif 000013
【図１３】
0006578471.tif 000014
【図１４】
0006578471.tif 000015
【図１５】
0006578471.tif 000016
【図１６】
0006578471.tif 000017
【図１７】
0006578471.tif 000018
【図１８】
0006578471.tif 000019
【図１９】
0006578471.tif 000020
【図２０】
0006578471.tif 000021